(57)【特許請求の範囲】
【請求項１】
撒き餌保持部を備えた本体部と、
前記本体部の一端に錘を接続する錘接続部とを備え、
前記本体部は、空隙率が７０〜９８％であるセル構造の弾性を有する網目状の組織を有し、
前記撒き餌保持部は、撒き餌を挟持可能な切れ込みが形成されている
ことを特徴とする撒き餌保持具。
【請求項２】
前記錘接続部に接続される錘は、直接又はハリス、若しくは天秤を介して接続されることを特徴とする請求項１に記載の撒き餌保持具。
【請求項３】
前記本体部のセル構造は、セル数が、６〜５５（個／２５ｍｍ）であることを特徴とする請求項１又は請求項２に記載の撒き餌保持具。
【請求項４】
前記本体部は、軟質ウレタンフォームからなることを特徴とする請求項１〜３のいずれか一項に記載の撒き餌保持具。
【請求項５】
前記本体部の他端において仕掛けと接続する仕掛け接続部を備えたことを特徴とする請求項１〜４のいずれか一項に記載の撒き餌保持具。
【請求項６】
前記錘接続部に予め錘を接続したことを特徴とする請求項１〜５のいずれか一項に記載の撒き餌保持具。
【請求項７】
一端に道糸が接続される屈曲部を備えた片天秤と、
撒き餌保持部を備えた本体部と前記本体部の一端に錘を接続する錘接続部とを備え、前記本体部は空隙率が７０〜９８％である弾性を有する網目状の組織を有し、前記撒き餌保持部は、撒き餌を挟持可能な切れ込みが形成され、前記屈曲部に接続された撒き餌保持具と、
前記錘接続部に接続した錘と、
前記片天秤の他端にハリスを介して接続された釣り針と
を備えたことを特徴とする魚釣り用仕掛け。
【請求項８】
前記屈曲部は、一対のシモリ玉が環装され、当該一対のシモリ玉に挟まれるように前記撒き餌保持具が前記屈曲部に接続されたことを特徴とする請求項７に記載の魚釣り用仕掛け。
【請求項９】
屈曲部を備え、一端に道糸が接続され、他端側の腕部に錘が装着された片天秤と、
撒き餌保持部を備えた本体部を備え、前記本体部は空隙率が７０〜９８％である弾性を有する網目状の組織を有し、前記片天秤の他端に接続された撒き餌保持具と、
前記片天秤の他端にハリスを介して接続された釣り針と
を備えたことを特徴とする魚釣り用仕掛け。
【請求項１０】
屈曲部を備え、一端に道糸が接続され、他端側の腕部に一対の錘が装着された片天秤と、
撒き餌保持部を備えた本体部を備え、前記本体部は空隙率が７０〜９８％である弾性を有する網目状の組織を有し、前記撒き餌保持部は、撒き餌を挟持可能な切れ込みが形成されて、前記片天秤の他端側の腕部に装着された一対の錘の間に環装された一対のシモリ玉挟まれるように前記他端の腕部に接続された撒き餌保持具と、
前記片天秤の他端にハリスを介して接続された釣り針と
を備えたことを特徴とする魚釣り用仕掛け。
【請求項１１】
２５°Ｃにおける粘度が、９０〜６００ｄＰａ・ｓに調整された集魚用餌を、撒き餌保持部に保持したことを特徴とする請求項１〜６のいずれか一項に記載の撒き餌保持具。
【発明の詳細な説明】
【技術分野】
【０００１】
本発明は、撒き餌保持具、魚釣り用仕掛けに係り、詳しくは、集魚効果の高い撒き餌保持具、魚釣り用仕掛けに関する。
【背景技術】
【０００２】
従来より魚釣りにおいて集魚用のコマセかごを用いたさびき釣りが広く知られている。一般的なコマセかごでは、内部にオキアミなどの撒き餌を詰めて、これを道糸に装着し、水中に投入する。そうすると、内部に詰めた撒き餌がかごの目から次第に外部に拡散し、この拡散した撒き餌により集魚効果を発揮するものである。
【０００３】
このようなコマセかごではオキアミやアミエビが広く使われるが、冷凍のブロックを事前に解凍するなどして準備する必要があるため、取り扱いが面倒で、解凍後の劣化も早いため手間がかかるという問題があった。
【０００４】
そこで、特許文献１に記載された発明では、マグロ漁などにおいて、コマセかごに替えて、材料自体に液体のマグロ油等を配合して発泡させたウレタンフォームを用い、水中でマグロ油などを拡散させて魚類を誘引するような発明が開示されている。このような方法であれば、餌の保存や管理が不要となる。
【０００５】
しかしながら、特許文献１に開示された発明では、餌の保存や管理が不要であり、餌の崩壊がないものの、樹脂内の液体のマグロ油の拡散も少なく、マグロ油自体の集魚効果も低いため、肝心の十分な釣果が上がらないという根本的な問題があった。
【０００６】
そこで本発明者は、特許文献２に記載されている釣り餌及びその製造方法を開発した。この練り餌を用いた集魚方法では、練った餌をつなぎとともに固めて水中に投入して、水中で次第に拡散させるものである。
【０００７】
このような釣り餌であれば、餌の保存性も高く、管理も簡単で、釣り針に釣り餌をつけるだけで、水中で拡散して、集魚効果を高めることができた。
【先行技術文献】
【特許文献】
【０００８】
【特許文献１】特開昭６２−１７２０４０号公報
【特許文献２】特開２０１４−１２４１５１号公報
【発明の概要】
【発明が解決しようとする課題】
【０００９】
しかしながら、この釣り餌は、柔らかすぎると水中で急激に崩れて仕掛けが棚に着く前に崩壊してしまったり、硬すぎれば水中で餌が拡散せず集魚効果が低くなったりしてしまうなど、餌の拡散による集魚効果を長時間にわたりコントロールすることが難しいという問題があった。
【００１０】
本発明は、取り扱いが容易であり、かつ集魚効果の高い撒き餌保持具、魚釣り用仕掛けを提供することを目的とする。
【課題を解決するための手段】
【００１１】
上記課題を解決するため、本発明の撒き餌保持具では、撒き餌保持部を備えた本体部と、前記本体部の一端に錘を接続する錘接続部とを備え、前記本体部は、空隙率が７０〜９８％である弾性を有する三次元網目状の組織を有し、前記撒き餌保持部は、撒き餌を挟持可能な切れ込みが形成されていることを特徴とする。
【００１２】
本発明において、前記錘接続部に接続される錘は、直接又はハリス、若しくは天秤を介して接続してもよい。
前記本体部は、セル構造を有し、セル数が、６〜５５（個／２５ｍｍ）であることが好ましい。
【００１３】
前記本体部は、軟質ウレタンフォームからなる網目気泡スポンジからなることが好ましい。
前記本体部の他端において仕掛けと接続する仕掛け接続部を備えてもよい。
【００１４】
前記錘接続部に予め錘を接続してもよい。
本発明の魚釣り用仕掛けは、一端に道糸が接続される屈曲部を備えた片天秤と、撒き餌保持部を備えた本体部と前記本体部の一端に錘を接続する錘接続部とを備え、前記本体部は空隙率が７０〜９８％である弾性を有する網目状の組織を有し、前記撒き餌保持部は、撒き餌を挟持可能な切れ込みが形成され、前記屈曲部に接続された撒き餌保持具と、前記錘接続部に接続した錘と、前記片天秤の他端にハリスを介して接続された釣り針とを備えた。
【００１５】
前記屈曲部は、一対のシモリ玉が環装され、当該一対のシモリ玉に挟まれるように前記撒き餌保持具が前記屈曲部に接続するようにしてもよい。
別の態様の魚釣り用仕掛けは、屈曲部を備え、一端に道糸が接続され、他端側の腕部に錘が装着された片天秤と、撒き餌保持部を備えた本体部と前記本体部の一端に錘を接続する錘接続部とを備え、前記本体部は空隙率が７０〜９８％である弾性を有する網目状の組織を有し、前記片天秤の他端に接続された撒き餌保持具と、前記Ｌ型片天秤の他端にハリスを介して接続された釣り針とを備えた。
【００１６】
さらに別の態様の魚釣り用仕掛けは、屈曲部を備え、一端に道糸が接続され、他端側の腕部に一対の錘が装着された片天秤と、撒き餌保持部を備えた本体部を備え、前記本体部は空隙率が７０〜９８％である弾性を有する網目状の組織を有し、前記撒き餌保持部は、撒き餌を挟持可能な切れ込みが形成されて、前記片天秤の他端側の腕部に装着された一対の錘の間に環装された一対のシモリ玉挟まれるように前記他端の腕部に接続された撒き餌保持具と、前記片天秤の他端にハリスを介して接続された釣り針とを備えた。
【００１７】
本発明の集魚用餌は、餌となる原材料の擂潰工程と、つなぎ・調味料混合工程と、混錬工程とを備え、２５°Ｃにおける粘度が、９０〜６００ｄＰａ・ｓであることを特徴とする。
【発明の効果】
【００１８】
本発明の撒き餌保持具、魚釣り用仕掛け、集魚用餌によれば、取り扱いが容易であり、かつ集魚効果の高いという効果がある。
【図面の簡単な説明】
【００１９】
【図１】本実施形態の撒き餌保持具の一例を示す図。
【図２】本実施形態の撒き餌保持具に撒き餌を保持させた状態を示す図。
【図３】本実施形態の集魚用餌の製造の手順を示すフローチャート。
【図４】本実施形態の魚釣り用仕掛けの一例を示す図。
【図５】魚釣り用仕掛けの別例を示す図。
【図６】魚釣り用仕掛けの別例を示す図。
【図７】魚釣り用仕掛けの別例を示す図。
【発明を実施するための形態】
【００２０】
以下、本発明を具体化した集魚用餌Ｆを保持する撒き餌保持具１を備えた魚釣り用仕掛け１００、２００、３００、４００の実施形態を図１〜図７にしたがって説明する。
＜実施形態の概略＞
従来、サビキ釣りは、解凍した冷凍オキアミなどのコマセをコマセかごに詰めて使用していた。しかしながら、オキアミは、自己消化酵素などにより身崩れや、腐敗や黒変が激しく、使用直前に解凍する必要があった。一方、練り餌は、特許文献２に記載したような本発明者の発明した釣り餌であれば、予め塩分濃度を高くすることで保存性がよくなるものの、前述のように、撒き餌としては拡散性を調節することが難しいという問題があった。
【００２１】
そこで、本発明者は、試行錯誤の結果、このような従来の方法から全く新しい発想で餌の準備や管理が容易で、かつ水中で長時間拡散を続けることができる画期的な撒き餌保持具１と、この撒き餌保持具１に好適な集魚用餌Ｆと、この撒き餌保持具１を活用することができる魚釣り用仕掛け１００、２００、３００、４００を発明した。
【００２２】
本実施形態の撒き餌保持具１は、撒き餌保持部２ａを備えた本体部２と、本体部２の一端に錘４を接続する錘接続部３とを備え、本体部２は、空隙率が７０〜９８％である弾性を有する網目状の組織を有し、撒き餌保持部２ａは、撒き餌を挟持可能な切れ込みが形成されていることを特徴とする。
【００２３】
一方、本実施形態の集魚用餌Ｆは、原材料の水分調整工程と、擂潰工程と、つなぎ・調味料混合工程と、混錬工程と粘度調整工程とを備え、２５°Ｃにおける粘度を９０〜６００ｄＰａ・ｓに調整してある。その結果、適度な流動性を有するため、撒き餌保持具１の網目状の組織に充填されて保持され、かつ水中ではゆっくりと撒き餌が拡散し、長時間にわたって安定した集魚効果を発揮することができる。その結果、本発明者による実地試験において、極めて良好な釣果を得ることができることを実証した。以下実施形態により詳細に説明する。
【００２４】
＜撒き餌保持具１＞
図１は、本実施形態の撒き餌保持具の一例を示す図である。
＜本体部２＞
本体部２は、長方形の厚みを有した板状に形成された部材である。この説明において、一番長さの短い辺の方向を、「厚み方向」といい、一番長さの長い辺を「長手方向」といい、その中間の長さの辺を「幅方向」という。形状や大きさは、対象魚や環境などにより変更でき、制限されるものではないが、例えば、実施形態では長手方向の長さが５〜１０ｃｍ、幅２〜４ｃｍ、厚み１〜３ｃｍのものが使用される。
【００２５】
本体部２は、本実施形態の集魚用餌Ｆを充填して保持するための部材である。本実施形態の集魚用餌Ｆは、流動性を有する練り餌であり、そのままで、釣り針に固めて付着させたり、コマセかごに収容したりすると、水中で容易に流出してしまう。
【００２６】
そこで本実施形態の本体部２は、空隙率が、概ね９６％である弾性を有する網目状の組織を有するスポンジ状の部材から構成されている。この網目状組織で流動性を有する集魚用餌Ｆを充填して保持することで、長時間にわたり安定して集魚用餌Ｆを拡散することができる構成である。
【００２７】
本実施形態の材質は、例えば軟質ウレタンフォームからなる。軟質ウレタンフォームは、ポリオール、ポイリイソシアネートを主成分として、発泡剤、整泡剤、触媒などを配合して発泡した石油化学製品である。ポリオールの構造によりポリエステルフォームとポリエーテルフォームに分けられるが、一般にポリウレタン樹脂を１０〜６０倍程度に発泡した連続気泡のセル構造を有している。ここで「セルＣ」とは、図１に示す本体部２の部分拡大図におけるような三次元網目構造において示すセルＣであり、１つの気室をいう。セルの大きさは、厳密には１つ１つの形状や大きさは不規則なものであるが、本発明では最も出現頻度が高い大きさを、セルの大きさとする。また、ポリエステルフォームは耐油性や引張強さなどの機械的強度に優れ、また、ポリオールの種類や発泡剤量を変化させて、密度や硬さなどの一般物性を変化させることができ、種々の特徴ある性能を付与することも可能な発泡体である。
【００２８】
そのため、本実施形態の本体部２では、復元力のある網目状組織を構成し、９６％程度の大きな空隙率を有した完全なオープンセル構造となっている。また、海水や油分に対しても耐久性がある。
【００２９】
本体部２の素材の具体例としては、例えば、株式会社イノアックコーポレーションのモルトフィルター（登録商標）の品番ＭＦ−８が好適に例示できる。また、集魚用餌Ｆの流動性に応じて、ＭＦ−１３〜ＭＦ-５５なども使用できる。もちろん、集魚用餌Ｆの流動性に応じて、各署の構成の材料が使用できることは言うまでもない。
【００３０】
この説明で「空隙率」とは、本体部２の外形から体積を測定した後、３００ｍｌのメスシリンダーに１５０ｍｌの純水を入れ、その中に本体部２を完全に浸漬させた時のメスリンダーの体積変化を測定した。その体積変化をスポンジたわしの体積から引き、その値をスポンジたわしの体積で割った値を空隙率とした。
【００３１】
本実施形態では９６％程度であるが、空隙率は、７０〜９８％、望ましくは９０〜９８％が、十分な量の集魚用餌Ｆを保持できることから好ましい。
５０％より少ないと十分な量の集魚用餌Ｆを保持できない。また、９８％より多いと、材質にもよるが本体部２自体が十分な強度が得られない場合があるが、強度が確保できれば、９８％に限定されるものではない。
【００３２】
密度は、３０±５（ｋｇ／ｍ３）（ＪＩＳ  Ｋ  ７２２２により測定）である。
引張強度は、５０ｋＰａ（≒５０００ｇ／ｃｍ２）以上を有する（ＪＩＳ  Ｋ  ６４００−５  ３により測定）ため、対象魚による食いつきでも簡単に破損しない。
【００３３】
実施形態のセル数は、８±２（個／２５ｍｍ）でピッチ２．５〜４．１６ｍｍであるが、セル数は、集魚用餌Ｆの平均的な粒径にもよるが、細かいものであれば５０±５（個／２５ｍｍ）（ピッチ０．５ｍｍ）でもよい。
【００３４】
なお、集魚用餌Ｆに依存するが、セル数が６（個／２５ｍｍ）より少ないと、１つのセルが４．２ｍｍより大きく、流動性の高い撒き餌の場合は、これを保持する性能が落ちることがある。一方、セル数が５５（個／２５ｍｍ）より多いと、１つのセルが、０．４６ｍｍより小さく、撒き餌の充填が困難となる場合がある。
【００３５】
伸びは、ＪＩＳ  Ｋ  ６４００−５  ３により測定して、１００％以上で、対象魚からの引っ張り対して柔軟に対応できる。
色彩は、例えば、黒色、黄色、赤色、緑色等、対象魚によって選択できる。
【００３６】
＜撒き餌保持部２ａ＞
図２に示すように、本体部２は、撒き餌保持部２ａを備える。撒き餌保持部２ａは、本体部２の中央部分において、厚み方向に貫通する、長手方向に延びるように、集魚用餌Ｆを挟持可能な切れ込みが形成されている。この切れ込みは、集魚用餌Ｆを挟持する。それとともに、ここに挟持された流動性のある集魚用餌Ｆを本体部２の内部から本体部２のセル内に充填するためのものである。
【００３７】
ここで、「切れ込み」は、実施形態においては、撒き餌である集魚用餌Ｆを挟持して保持する隙間として、例えば厚み方向の貫通する方向で、長手方向に延びるように形成され、長手方向の長さの６０％程度の長さになっている。
【００３８】
この切れ込みは、通常は、図１に示すように、本体部２の弾性で閉じているが、図２に示すように、切れ込みを開いて、集魚用餌Ｆを挿入すれば、その弾性で集魚用餌Ｆを挟持するようにして保持することができる。また、流動性を有する集魚用餌Ｆでは、本体部２の弾性復元力により、集魚用餌Ｆが本体部２の網目状の組織に次第に充填されていく。なお、集魚用餌Ｆは、魚介類を細かくしたものが使用されるが、その粒状は不規則なものとなるため、セルＣに充填されないような粒径の大きな集魚用餌Ｆも、この撒き餌保持部２ａにおいて、挟持されることで保持される。
【００３９】
＜錘接続部３＞
図１に示す本体部２の下端には、錘接続部３を備える。本実施形態では、錘接続部３は、撒き餌保持部２ａの切れ込みを貫通して下端部に巻回されるポリアミド樹脂製の結束バンドが装着されて構成されている。手作業用の固定長の結束バンドは、バンドの片端にロック用部品がついており、これに反対側の端を通して結束する。バンドには歯状の模様がついているため、一度ロック用部品を通した部分は逆には戻らず、緩まない。結束した後余った部分をニッパーなどで切断する。
【００４０】
この種の結束バンドは、１．５〜２．０ｍｍ幅で、５〜１０ｋｇｆ程度の引っ張り強度があり、仕掛けとしては十分な引張強度を有する。
＜仕掛け接続部５＞
図１に示す本体部２の上端には、仕掛け接続部５を備える。仕掛け接続部５は、道糸やハリスなどと接続され、撒き餌保持具１を魚釣りの仕掛けの一部として構成するための接続部である。その構成は、上述した錘接続部３と同様の構成で、撒き餌保持部２ａの切れ込みを貫通して擾乱部に巻回されるポリアミド樹脂製の結束バンドが装着されて構成されている。
【００４１】
＜サルカン６＞
仕掛け接続部５には、サルカン６が接続されている。サルカン６の２つのリングが、相互に共通する直径方向の軸に対して回動自由に接続された部材で、道糸や仕掛けなどに生じた不要なねじれを解消するための撚り戻しとしての機能を有する。
【００４２】
＜スナップ７＞
スナップ７は、一端がサルカン６に接続されたリングを備える。他端は、Ｕ字状の弾性を有する金属の線材からなる。そして、この線材の先を収納する留め金の付いた部分からなっており、線材の弾性によって、その先端が留め金に掛け止められている場合は閉止され、留め金に掛け止められていない線材は開いた状態に戻るようになっている。このような構成のため、仕掛けを構成する他の部材と結索することなく、容易に連結することができる。
【００４３】
＜錘４＞
撒き餌保持具１の下端の錘接続部３には、錘４が接続される。錘４は、一般的な魚釣り用の錘であるが、密度が３０±５（ｋｇ／ｍ３）程度の本体部２を水中に円滑に沈降させるための重力を付与する。重さに制限はなく、対象魚や環境により選択されるが、例えば本実施形態では、３号（１１．２５ｇ）〜３０号（１１２．５ｇ）が使用される。本実施形態では、錘４が予め錘接続部３に接続されているが、着脱可能な構成でもよいことは言うまでもない。また、図１に示す錘４は、ティアドロップ状であるが、その形状も制限はなく、後述するように、天秤の一部として構成されているようなものでもよい。
【００４４】
＜実施形態の撒き餌保持具１の作用＞
撒き餌保持具１の撒き餌保持部２ａの切れ込みに流動性の高い集魚用餌Ｆを挿入し、軽く握るようにすれば、撒き餌が本体部２の内部の三次元網目構造のセルに充填される。その結果、撒き餌は流動性が高くても、水中で直ちに拡散することなく本体部２に一定時間保持されて、徐々に水中に拡散されていき、集魚効果が長時間持続される。
【００４５】
＜撒き餌保持具１の効果＞
（１）撒き餌を撒き餌保持具１に形成された三次元網目構造のセルに充填して保持できるため、コマセかごを使用することなく、サビキ釣りができる。
【００４６】
（２）撒き餌保持具１に充填して保持した撒き餌は、水中で、徐々に拡散されるため、長時間にわたり、良好な集魚力を発揮することができる。また、使用する撒き餌の粒径に応じて異なるセルの大きさを選択することができる。それにより、拡散の速度を調整することもできる。
【００４７】
（３）撒き餌保持部２ａに設けた切込みは、軟質ウレタンフォームから構成された本体部２の弾力で撒き餌を挟持するため、セルに充填できない粒径の撒き餌もここに保持することができる。
【００４８】
（４）撒き餌保持部２ａに設けた切込みは、本体部２の弾力で集魚用餌Ｆのように流動性の高い撒き餌を、自律的に充填していくことができる。このように本体部２の中心に充填された撒き餌は、徐々に拡散される。
【００４９】
（５）撒き餌保持具１の軟質ウレタンフォームから構成された本体部は、軽量で浮力を有する。このため、錘により、その挙動をコントロールすることができる。
（６）撒き餌保持具１の軟質ウレタンフォームから構成された本体部２は、海水や油脂に耐性があり、洗浄も容易で、機械的な強度も高いため、繰り返し使用することができる。
【００５０】
（７）撒き餌保持具１の軟質ウレタンフォームから構成された本体部２は、容易に着色することで、視覚的な力も付与することができる。
○前記実施形態では釣用片天秤仕掛けを例示したが、釣用両天秤仕掛けにも応用することができる。
【００５１】
○「本体部２」は、実施形態では長方形の板状のものを例示したが、その形状は限定されない。例えば四角柱や円柱、厚みのある直方体や立方体、厚みの薄いシート状、三角形や円形、ひし形の板状など、あるいは、疑似餌のようなイカや魚の外形を模したようなものでもよい。
【００５２】
○「切れ込み」は、実施形態のように、板状の本体部２の中央部分一か所に長手方向に沿った厚さ方向に貫通する形状に限定されない。例えば、複数の「切れ込み」を設けてもよい。
【００５３】
○板状の厚さ方向と直交する方向に「切れ込み」を入れたりしてもよい。
○また、「切れ込み」は、貫通させず、内部で止めてもよい。
○さらに「切れ込み」は平面的な切断部に限らず、本体部２の内部に「集魚用餌Ｆ」を収納する空間を形成することも好ましい。
【００５４】
○本体部２の材料は、例えば、ウレタン、ポリエチレン、ゴムスポンジ、ゴム、メラミンスポンジなどの樹脂の発泡体など、一般的にフィルターやスポンジたわし等に使用されているような材料であれば、公知の種々のものを用いることができる。
【００５５】
○また、樹脂に限定されず、ステンレス、鉄などのたわし、海綿、へちまのたわし、繊維を編み込んだようなものなどでも実施することができる。
○錘接続部３は、結束バンドを例示したが、接続の方法は限定されない。例えば図６に示すような魚釣り用仕掛け３００のように釣り針１３を錘接続部３として用いてもよい。また、仕掛け接続部５も同様である。そして、１つの接続部で、錘接続部３と仕掛け接続部５を兼用してもよい。
【００５６】
＜集魚用餌Ｆ＞
＜概略＞
続いて、本実施形態の撒き餌保持具１に好適な集魚用餌Ｆについて説明する。集魚用餌Ｆは、餌となる原材料の水分調整工程と、擂潰工程と、つなぎ・調味料混合工程と、混錬工程とを備え、２５°Ｃにおける粘度が、９０〜６００ｄＰａ・ｓに調整されている。このため、原材料が細かく砕かれて撒き餌保持具１の網目状組織に形成されたセルに充填可能に構成されている。
【００５７】
＜原材料＞
原材料は、セルＣに充填可能に粒径が小さく、十分に流動化できれば、特に限定されない。例えば、魚肉、イカ、貝、エビなどの魚介類に限定されず、畜肉や、穀類などのでんぷん質などでもよい。また、釣りの対象魚の嗜好に応じて適宜変更される。
【００５８】
＜集魚用餌Ｆの最大粒径＞
上述の撒き餌保持具１のセル数の一例として、８±２個／２５ｍｍでピッチ３．１２５ｍｍ〜５０±５個／２５ｍｍでピッチ０．５ｍｍを例示した。このような場合では、セルの内径は、ピッチより小さくなるので、概ね３．０〜０．３ｍｍ程度である。このセル内に集魚用餌Ｆを充填するには、集魚用餌Ｆの最大径は、セルの１／２程度が望ましい。そうすると、集魚用餌Ｆの最大粒径は、１．５〜０．１５ｍｍとすることが望ましい。
【００５９】
本実施形態では原材料を擂潰工程で擂り潰すので、粒子の形状は複雑であり、粒径の分布もばらつきが多いので厳密な粒径の管理は困難である。そこで使用する撒き餌保持具１に、製造した集魚用餌Ｆを実際に摺り込んで、集魚用餌Ｆが撒き餌保持具１に充填でき、かつ保持されるようであれば、結果的に上記範囲に適合していることになる。
【００６０】
＜調味料＞
また、調味料として、実施形態では１０〜５０ｗ％の食塩を添加した上で、混錬することで、すり身のように原材料のたんぱく質が塩分で溶解し、立体的な網目構造が形成されることで、粘りと一体性が生じ、水中で適度に拡散させることができるものである。
【００６１】
さらに、調味料として食塩や蔗糖を添加することで水分活性を抑制し、微生物の増殖の抑制と、自己分解酵素の失活などにより、常温での保存性を高めているため、集魚用餌Ｆは、その取扱いが容易になっている。
【００６２】
集魚用餌Ｆは、このような構成となっているため、撒き餌保持具１に好適に使用でき、これらが相まって取り扱いが容易であり、かつ集魚効果の高い魚釣りが可能となっている。
【００６３】
＜つなぎ＞
本実施形態の集魚用餌Ｆは、水分が調整された原材料を粉状物からなるつなぎと攪拌混合して流動性を調整するようにしてもよい。つなぎには、例えば、米粉、小麦粉、片栗粉などが例に挙げられる、いずれを選択するかは、対象魚や使用する環境などにより当業者が適宜選択で
＜添加調味材＞
原材料はもちろん、上述のつなぎ材自体にも、集魚効果は認められるが、さらに集魚効果を高めるため、実施形態の集魚用餌Ｆでは、対象魚の好む物質を調味材を添加してもよい。調味材としては、グルタミン酸、コハク酸、イノシン酸などのアミノ酸、イワシ、キビナゴなどの魚粉、魚介類・畜肉類を茹でたり蒸したりしたときの液体を煮熟し乾燥させた粉などが挙げられる。養魚飼料用油脂（フィードオイル）なども好適に使用できる。
【００６４】
＜粘度調整剤＞
流動性が高すぎる場合は、円滑に撒き餌保持具１に集魚用餌Ｆを充填させることができないので、粘度調整剤として、水、油脂などが挙げられる。粘度調整剤を加えて使用する撒き餌保持具１に適合する粘度とする。例えば、２５°Ｃにおける粘度が、９０〜６００ｄＰａ・ｓに調整する。
【００６５】
＜集魚用餌Ｆの製造方法＞
図３は、集魚用餌Ｆの製造方法の一例を示すフローチャートである、以下、このフローチャートに沿って集魚用餌Ｆの製造工程について説明する。
【００６６】
＜解凍工程（Ｓ１）＞
まず、原料となる魚肉等が冷凍の場合は、冷蔵庫内で自然解凍する。或いは、密封包装のまま冷水にて流水解凍をする。或いは、高周波で急速解凍する。いずれにしても、品質の変化がない範囲でバラバラになる程度まで解凍する。
【００６７】
＜水分調整工程（Ｓ２）＞
続いて必要があれば水分調整工程を行う。特に原材料を解凍したような場合は、多量のドリップを含むことが多いので、水切り工程や脱水工程を行う。
【００６８】
＜擂潰工程（Ｓ３）＞
撒き餌保持具１は、平均的なセルの大きさが、０．４６〜４．２ｍｍとなっており、このセルに集魚用餌Ｆを充填するには、これより最大粒径を０．１５〜１．５ｍｍ程度に小さくする必要がある。このため、十分に擂り潰しておく必要がある。ここでは使用が想定される撒き餌保持具１は、平均的なセルの大きさに合わせて原材料が擂潰機により擂潰される。
【００６９】
なお、擂潰工程に先立って、ミートチョッパーなどで小さく切断するようにしてもよい。
＜つなぎ、添加物混合工程（Ｓ４）＞
擂潰工程（Ｓ３）で十分に小さくなった原材料は、調味料、つなぎ、添加調味材、保存料などが、投入され、食品用ミキサーなどで均等に分散するように混合する。
【００７０】
＜混練工程Ｓ５＞
つなぎ、添加物混合工程（Ｓ４）ののち、食品加工用の混錬機で、混錬される。混錬されることで、アクチンなどの溶塩たんぱく質が食塩により溶けてアクチミオシンとなって漸時粘度が上昇し、水溶性が変化する。この状態で、好ましい粘度・水溶性が生じたら、完了とする。
【００７１】
＜粘度試験＞
混錬工程（Ｓ５）において、混錬することで流動性が低くなってくる。本実施形態の集魚用餌Ｆは、温度２５°Ｃにおける粘度が、９０〜６００ｄＰａ・ｓとするため、必要に応じて粘度を上昇させるつなぎや、粘度を低下させる水や油脂からなる粘度調整剤により調整する。
【００７２】
実際には、使用する撒き餌保持具１に集魚用餌Ｆを充填することで試験する。
なお、粘度の測定は、試験機としてリオン株式会社製ビスコテスタ（登録商標）型番ＶＴ−０６により測定した。
【００７３】
撒き餌保持具１のセルＣの大きさに対応するため、粘度９０ｄＰａ・ｓの低粘度のものから高粘度の６００ｄＰａ・ｓに調整される。
＜包装工程Ｓ６＞
以上のように製造した集魚用餌Ｆは、包装容器に詰めて、酸化、乾燥防止のために包装する。使用するときには、容器から適宜所要量を取り出して使用する。
【００７４】
あるいは、小さな小分け用の袋に充填して、気密に封をするようにしてもよい。また、食品用チューブなどに充填して、必要量を絞り出して使用するようにしても、取り扱いが容易になる。
【００７５】
＜実施形態の集魚用餌Ｆの作用＞
本実施形態の集魚用餌Ｆは、撒き餌保持具１に保持されて、長時間徐々に水中で拡散する。
【００７６】
＜実施形態の集魚用餌Ｆの効果＞
上記実施形態の集魚用餌Ｆによれば、以下のような効果を得ることができる。
（８）集魚用餌Ｆは、撒き餌保持具１の本体部２の三次元網目構造のセルに充填可能な流動体として形成されているので、本発明の撒き餌保持具１用の撒き餌として好適に充填して使用することができる。
【００７７】
（９）集魚用餌Ｆは、撒き餌の原材料を用いているので、従来の撒き餌と同等の集魚力がある。
（１０）集魚用餌Ｆは、撒き餌保持具１の本体部２の三次元網目構造のセルＣに保持されることで、徐々に水中に拡散されるため、長時間にわたって安定した集魚力を発揮できる。
【００７８】
（１１）集魚用餌Ｆは、動物性たんぱく質に食塩を添加して混錬したため、アクトミオシンのような三次元網目構造で、粘りのある状態とすることができ、緩慢に水中で拡散させることができる。
【００７９】
（１２）さらに、つなぎを添加することで、粘度を調整して拡散の程度を調整することができる。
（１３）また、つなぎ自体に集魚力があり、さらに、魚油や魚介エキスなどを添加することで、化学的に集魚力を高めることができる。
【００８０】
（１４）集魚用餌Ｆは、さらに水中で煙幕上に拡散させることで、集魚力を上げることができる。さらに、これらに着色することで、集魚力を向上させることもできる。
（１５）集魚用餌Ｆは、食塩や蔗糖などの調味料により水分活性が低いため、微生物の繁殖を抑制して保存性を高めている。そのため、冷凍保存の必要がなく、直ちに使用することができる。
【００８１】
（別例）
なお、本実施形態は以下のように変更してもよい。
○図３に示すフローチャートは、例示であり、工程を付加、削除、変更したり順序を入れ替えて実施することができる。
【００８２】
○魚肉等は、例示であり、流動性を有して撒き餌保持具１により保持され、魚釣りに使用できれば、様々な材料や方法が採用しうることは言うまでもない。
（本実施形態の魚釣り用仕掛け１００、２００、３００、４００の構成）
上述した撒き餌保持具１を用いることで、以下に述べるように、撒き餌保持具１の機能を生かす魚釣り用仕掛けを構成することができる。
【００８３】
＜実施例１＞
図４は、実施例１である魚釣り用仕掛け１００を示す。魚釣り用仕掛け１００は、屈曲部８ｃを備えたＬ字状の片天秤８を備える。一端の道糸接続部８ｅには道糸１４が接続される。屈曲部８ｃには撒き餌保持具１と錘４とが接続される。他端のハリス接続部８ｄには、２本のハリス１２、１２を介して釣り針１３、１３が接続される。
【００８４】
片天秤８は、ステンレス鋼やピアノ線等の弾性を備えた線材で、中央に屈曲部８ｃを備え、両側に腕部８ａ、８ｂを備えた、いわゆるＬ字型天秤として構成されている。屈曲部８ｃは、概ね４５度ほど屈曲され、ひねりが施されリング状に形成されている。一方の腕部８ｂの先端はリング状に形成された道糸接続部８ｅとして形成され、道糸接続部８ｅの基端部は樹脂製のカバー部材８ｇでおおわれている。他方の腕部８ａの先端はリング状に形成されたハリス接続部８ｄとして形成され、ハリス接続部８ｄの基端部も樹脂製のカバー部材８ｆでおおわれている。
【００８５】
道糸接続部８ｅには、サルカン８ｉを介して道糸１４が連結されている。屈曲部８ｃのリング状の部分には、前述した構成の撒き餌保持具１と連結するためのスナップ７が連結されている。また、ハリス接続部８ｄには、サルカン８ｈを介して、先端に釣り針１３が装着されたハリス１２が２本装着される。
【００８６】
＜実施例２＞
図５は、実施例２である魚釣り用仕掛け２００を示す。実施例２は、実施例１と基本的な構成が共通するため、共通する構成は同じ符号を付して説明を省略する。若しくは図示を省略する。実施例１と異なる点は、屈曲部８ｃと構成が異なる。
【００８７】
実施例２の屈曲部８ｊは、図５において、腕部８ａ、８ｂから、下方に屈曲された延在する側部８ｋ、８ｌと、側部８ｋ、８ｌとほぼ直交し、これらの下端部を水平に接続する中央部8ｍを備える。中央部８ｍには、シモリ玉８ｎ、シモリ玉８ｏが環装される。シモリ玉８ｎ、シモリ玉８ｏは直径方向に貫通する孔が穿設された球状の部材で、例えば、ポリエチレンなどの樹脂から成型される。この、シモリ玉８ｎ、８ｏに挟まれるように、片天秤８にスナップ７を介して撒き餌保持具１が装着される。
【００８８】
シモリ玉８ｎ、シモリ玉８ｏは、スナップ７の位置を規制しながら、片天秤８に対してスナップ７を自由に回転させる。また、スナップ７の傾きを規制することで、円滑な回転が担保される。また、スナップ７の位置や傾きが規制されるため、撒き餌保持具１が片天秤８や、道糸、ハリスに絡まったりすることが抑制される。
【００８９】
＜実施例３＞
図６は、実施例３である魚釣り用仕掛け３００を示す。魚釣り用仕掛け３００は、片天秤９と、撒き餌保持具１と、ハリス１２を介して接続された釣り針１３とを備える。
【００９０】
片天秤９は、ステンレス鋼やピアノ線等の弾性を備えた線材で、中央に屈曲部９ｃを備え、両側に腕部９ａと腕部９ｂ（腕部９ｂは、錘固定筒９ｆに覆われているため不図示）を備えた、いわゆるＬ字型天秤として構成されている。屈曲部９ｃは、概ね３０度ほど屈曲されて形成されている。一方の腕部９ａの先端はリング状に形成された道糸接続部９ｅとして形成されている。腕部９ｂの先端はリング状に形成されたハリス接続部９ｄとして形成されている。
【００９１】
道糸接続部９ｅには、サルカン９ｍを介して道糸１４が連結されている。
他方の腕部９ｂから屈曲部９ｃにかけては、ゴム製の錘固定筒９ｆが密着するように嵌装されており、ここに両端が薄く中央部が厚い筒状の錘９ｇが密着するように嵌装され、位置が固定されている。一方の腕部９ａには、錘固定筒９ｆのない部分にシモリ玉９ｈ、シモリ玉９ｉが嵌装され、錘固定筒９ｆの移動を規制している。また、シモリ玉９ｈ、シモリ玉９ｉは、直径方向に貫通する孔が穿設され、錘固定筒９ｆと接する一方の開口部は固定のため他方の開口部より内径が位置決めのために狭くなっている。
【００９２】
片天秤９が水中を沈降する場合には、シモリ玉９ｈ、シモリ玉９ｉが装着された腕部９ａが上に、錘９ｇが装着された腕部９ｂが下になって沈降する。そうすることで、ハリス接続部９ｄが、道糸１４から離れるようになり、撒き餌保持具１や、ハリス１２を介して接続された釣り針１３が、道糸１４と絡みにくくなっている。
【００９３】
ハリス接続部９ｄには、サルカン９ｊ、スナップ９ｋ、サルカン９ｌを介して、２本のハリス１２、１２の先端には、それぞれ釣り針１３、１３が装着されている。
一方のハリス１２の先端の釣り針１３は、撒き餌保持具１の錘接続部３及び仕掛け接続部５として機能して、撒き餌保持具１が装着される。撒き餌保持具１は、浮力により釣り針１３の近傍で自由に泳動して、ここに保持された集魚用餌Ｆを、撒き餌として徐々に拡散させる。この実施例では、撒き餌保持部には切れ込みがなく、セルＣ自体が撒き餌保持部として集魚用餌Ｆを保持する。
【００９４】
他方のハリス１２の先端に装着された釣り針１３は餌が装着され、本来の釣り針として機能する。なお、このハリスにはシモリ玉９ｈ、シモリ玉９ｉより小径のシモリ玉１５が、ハリス１２上を移動可能に嵌装されている。このシモリ玉１５は、例えば、ポリエチレンなどの樹脂から成型され、球形の浮きとしての機能を備える。このため、釣り針１３を水中で自由な動きを与える機能がある。
【００９５】
そして、これらの浮力により２本のハリス１２と、道糸１４が、絡みにくくなっている。
また、シモリ玉９ｈ、シモリ玉９ｉ、シモリ玉１５は、黄色、橙色、桃色に着色されていたり、表面に光沢を有していたり、水中で対象魚から視覚的に視認されることで、集魚効果を高める機能もある。
【００９６】
＜実施例４＞
図７は、実施例４である魚釣り用仕掛け４００を示す。魚釣り用仕掛け４００は、片天秤１０と、撒き餌保持具１と、ハリス１２を介して接続された釣り針１３とを備える。実施例３と共通の構成は、詳細な説明を省略する。実施例３と相違点は、撒き餌保持具１の装着方法が異なる。
【００９７】
片天秤１０は、中央に屈曲部１０ｃを備え、両側に腕部１０ａ、１０ｂ（腕部１０ｂから屈曲部１０ｃにかけては、腕部１０ｂを覆うようにゴム製の錘固定筒１０ｆが密着するように嵌装されているため、腕部１０ｂは不図示）を備える。屈曲部１０ｃは、概ね３０度ほど屈曲されて形成されている。一方の腕部１０ａの先端は道糸接続部１０ｅが、他方の腕部９ｂの先端はハリス接続部１０ｄとして形成されている。
【００９８】
他方のこの腕部１０ｂに両端が薄く中央部が厚い筒状の一対の錘１０ｇ、１０ｈが密着するように嵌装され、位置が固定されている。
一方の腕部１０ａには、錘固定筒１０ｆのない部分にシモリ玉１０ｉ、１０ｊ、１０ｋが移動可能に環装されている。
【００９９】
腕部１０ｂに環装された２つの錘１０ｇ、１０ｈの間には、シモリ玉１０ｌ、１０ｍが環装されている。また、シモリ玉１０ｌ、１０ｍの間には、撒き餌保持具１を装着するためのスナップ７が係止されている。
【０１００】
シモリ玉１０ｌ、１０ｍは、スナップ７の位置を規制しながら、片天秤１０の腕部１０ｂに対してスナップ７を自由に回転させる。またスナップ７の傾きを規制することで円滑な回転が担保される。また、スナップ７の位置や傾きが規制されるため、撒き餌保持具１が片天秤１０や、道糸１４、ハリス１２に絡まったりすることが抑制される。
【０１０１】
ハリス接続部１０ｄには、サルカン１０ｎ、スナップ１０ｏを介して、先端に釣り針１３が装着されたハリス１２が接続されている。
片天秤１０が水中を沈降する場合には、シモリ玉１０ｈ〜１０ｊが装着された腕部１０ａが上に、錘１０ｇ、１０ｈが装着された腕部１０ｂが下になって沈降する。そうすることで、ハリス接続部１０ｄが、道糸１４から離れるようになり、撒き餌保持具１や、ハリス１２を介して接続された釣り針１３が、道糸１４と絡みにくくなっている。
【０１０２】
＜実施形態の魚釣り用仕掛けの作用＞
このような、片天秤８、９、１０を備えた魚釣り用仕掛け１００、２００、３００、４００では、水中で道糸１４の下流に撒き餌保持具１が位置し、さらにその下流に釣り針１３が配置されるため、集魚用餌Ｆに集魚された対象魚の近傍の釣り針１３により良好な釣果を得ることができる。
【０１０３】
＜実施形態の魚釣り用仕掛けの効果＞
（１７）実施例１〜４に示す魚釣り用仕掛けは、撒き餌保持具１と釣り針１３との位置関係を適切な距離に保持することで、釣り針１３を、撒き餌保持具１が奏する集魚効果の高い範囲内に位置させることができる。
【０１０４】
（１８）また、片天秤８、９、１０により、釣り針１３と撒き餌保持具１を、道糸１４から適切な距離離間させて、絡みを効果的に抑制することができる。
（１９）さらに、片天秤８、９、１０により、撒き餌保持具１を適度に揺動させることで、ここに保持された集魚用餌Ｆを適切に拡散させることができる。
【０１０５】
（２０）また、片天秤８、９、１０により、釣り針１３を適度に揺動させ、対象魚に対する誘因を高めることができる。
（別例）
なお、本実施形態は以下のように変更してもよい。
【０１０６】
○前記実施形態では魚釣り用片天秤仕掛けを例示したが、撒き餌保持具１は魚釣り用両天秤仕掛けにも応用することができる。
○シモリ玉９ｈ、９ｉ、１５等は、その個数や大きさ、配置は、魚釣り用仕掛け２００、３００、４００のバランスに応じて、変更できる。例えば、腕部９ａや、撒き餌保持具１のハリス１２に配置してもよい。
【０１０７】
○錘は、対象魚に応じて各種の形状、重量を選択することができる。さらに、その配置位置や個数も変更して実施できる。
○本発明の撒き餌保持具、集魚用餌、魚釣り用仕掛けは、特許請求の範囲を逸脱しない限り、当業者によりその構成を付加し、削除し、変更して実施することができる。
【符号の説明】
【０１０８】
１…撒き餌保持具
２…本体部
３…錘接続部
４…錘
５…仕掛け接続部
６…サルカン
７…スナップ
１００、２００、３００、４００…魚釣り用仕掛け
８…片天秤
８ａ…腕部
８ｂ…腕部
８ｃ…屈曲部
８ｄ…ハリス接続部
８ｅ…道糸接続部
８ｆ…カバー部材
８ｇ…カバー部材
８ｈ…サルカン
８ｉ…サルカン
８ｊ…屈曲部
８ｋ…側部
８ｌ…側部
８ｍ…中央部
８ｎ…シモリ玉
８ｏ…シモリ玉
９…天秤
９ａ…腕部
９ｂ…腕部
９ｃ…屈曲部
９ｄ…ハリス接続部
９ｅ…道糸接続部
９ｆ…錘固定筒
９ｇ…錘
９ｈ…シモリ玉
９ｉ…シモリ玉
９ｊ…サルカン
９ｋ…スナップ
９ｌ…サルカン
９ｍ…サルカン
１０…片天秤
１０ａ…腕部
１０ｂ…腕部
１０ｃ…屈曲部
１０ｄ…ハリス接続部
１０ｅ…道糸接続部
１０ｆ…錘固定筒
１０ｇ…錘
１０ｈ…錘
１０ｉ…シモリ玉
１０ｊ…シモリ玉
１０ｋ…シモリ玉
１０ｌ…シモリ玉
１０ｍ…シモリ玉
１０ｎ…サルカン
１０ｏ…スナップ
１２…ハリス
１３…釣り針
１４…道糸
１５…シモリ玉
Ｃ…セル
【要約】      （修正有）【課題】取り扱いが容易であり、かつ集魚効果の高い撒き餌保持具、魚釣り用仕掛け、集魚用餌を提供する。【解決手段】魚釣り用仕掛け１００は、片天秤８と撒き餌保持具１と釣り針１３を備えたハリス１２を備え、撒き餌保持具１は、撒き餌保持部２ａを備えた本体部２と、本体部２の一端に錘４を接続する錘接続部３とを備え、本体部２は、空隙率が７０〜９８％である弾性を有する網目状の組織を有し、撒き餌保持部２ａは、集魚用餌を挟持可能な切れ込みが形成されている。集魚用餌は、２５°Ｃにおける粘度を９０〜６００ｄＰａ・ｓに調整され、撒き餌保持具１に充填可能になっている。【選択図】図４【図１】
0006865323.tif 000002
【図２】
0006865323.tif 000003
【図３】
0006865323.tif 000004
【図４】
0006865323.tif 000005
【図５】
0006865323.tif 000006
【図６】
0006865323.tif 000007
【図７】
0006865323.tif 000008